(57)【要約】【課題】著作権・肖像権の保護に資する情報を簡易かつ適切に画像データに付加する。【解決手段】制御部２１は、ＥＥＰＲＯＭ２０に記憶されている電話番号データを画像データに付加するよう画像処理部１２を制御する。画像データへの電話番号データの付加は、例えば画像データがＥｘｉｆ（Exchangeable Image File Format）形式のＴＩＦＦデータである場合、ＩＦＤ０（IFD of main image）に含まれるタグであるCopyrightタグ（タグ番号0x8298）、ImageDescriptionタグ（タグ番号0x010e）などの所望のタグに電話番号データを記憶することで行われる。【選択図】  図１
2005167835.tif 000002
【特許請求の範囲】
【請求項１】
被写体を撮像し、被写体像を表す画像データを出力する撮像手段と、前記画像データの送信元又は送信先を表すデータである送信元／送信先データを記憶する記憶手段と、前記画像データに前記送信元／送信先データを付加する付加手段とを備えることを特徴とする携帯電話機。
【請求項２】
前記撮像手段は前記画像データを所定の圧縮した画像ファイルとして出力することを特徴とする請求項１に記載の携帯電話機。
【請求項３】
前記撮像手段は前記画像ファイルをＪＰＥＧ（Joint Photographic Coding Experts Group）ファイル又はＥｘｉｆ（Exchangeable Image File Format）ファイルとして出力し、前記付加手段は前記画像ファイルの所定のタグ又はヘッダーに前記送信元／送信先データを記憶することを特徴とする請求項２に記載の携帯電話機。
【請求項４】
前記送信元／送信先データは前記画像データの送信先となる外部機器を識別するデータであることを特徴とする請求項１〜３のいずれかに記載の携帯電話機。
【請求項５】
前記送信元／送信先データは前記携帯電話に割り当てられた電話番号を表すデータであることを特徴とする請求項１〜３のいずれかに記載の携帯電話機。
【請求項６】
前記画像データと前記電話番号を表す画像データとを合成する合成手段をさらに備えることを特徴とする請求項５に記載の携帯電話機。
【請求項７】
前記画像データに前記送信元／送信先データを付加する旨を指示する操作入力を受け付ける入力手段と、前記操作入力に基づき前記付加手段を制御して前記画像データに前記送信元／送信先データを付加させる第１付加制御手段とをさらに備えることを特徴とする請求項１〜３のいずれかに記載の携帯電話機。
【請求項８】
外部機器と接続して前記画像データを前記外部機器に送信する送信手段と、前記画像データが送信される外部機器の指定を受け付ける指定手段とをさらに備えることを特徴とする請求項１〜３のいずれかに記載の携帯電話機。
【請求項９】
前記指定に基づき前記付加手段を制御して前記画像データに前記送信元／送信先データを付加させる第２付加制御手段をさらに備えることを特徴とする請求項８に記載の携帯電話機。
【請求項１０】
前記第２付加制御手段は前記指定された外部機器がプリンタか否かを判定し、前記指定された外部機器がプリンタでない場合は前記付加手段を制御して前記画像データに前記送信元／送信先データを付加させることを特徴とする請求項９に記載の携帯電話機。
【請求項１１】
前記指定された外部機器が前記送信元／送信先データで表される送信先か否かを判定し、前記指定された外部機器が前記送信元／送信先データで表される送信先の場合は前記送信手段を制御して前記画像データを前記外部機器に送信させる送信制御手段をさらに備えることを特徴とする請求項８に記載の携帯電話機。
【請求項１２】
前記画像データの表す画像の視覚が困難となるような処理を前記画像データに施す画像処理手段と、前記指定された外部機器が前記送信元／送信先データで表される送信先か否かを判定し、前記指定された外部機器が前記送信元／送信先データで表される送信先でない場合は前記画像処理手段を制御して前記画像データに前記処理を行わせる画像処理制御手段とをさらに備えることを特徴とする請求項８に記載の携帯電話機。
【発明の詳細な説明】
【技術分野】
【０００１】
本発明は携帯電話機に関し、特に被写体を撮影するカメラ機能を有する携帯電話機に関する。
【背景技術】
【０００２】
近年、ＣＣＤカメラなどのカメラ機能を備え、カメラにより撮影した画像を保存・送信できる携帯電話機が広く普及している。このような携帯電話で撮影された画像は電子メールアドレスや他の携帯電話番号を指定することで外部に送信できる。即ち、携帯電話で撮影した画像は容易に外部に送信できるため、その画像の著作権及び肖像権の保護が問題となる。
【０００３】
一方、電子カメラで撮影した画像の著作権の保護を目的として、例えば特許文献１に示すような技術が開示されている。特許文献１によると、電子カメラで撮影した像に対応する画像データに、画像データとして保存されている著作権に関する情報、例えば撮影者の名称や著作物である旨の表示を合成する。この画像合成により、著作権に関する情報を含んだ画像を得ることができる。著作権に関する情報の合成は撮影者の操作で禁止することもできる。
【特許文献１】特開平１１−２８４９４５号公報、段落００１４、００２１、００３０
【発明の開示】
【発明が解決しようとする課題】
【０００４】
ところが、上述の特許文献１の技術では、いちいち著作権に関する情報をＣＭＯＳなどに記憶させておく必要があり、煩雑である。また、著作権に関する情報の付加を誤って禁止すると、画像データに著作権に関する情報が全く付加されないこととなり、この画像データが外部に送信された場合は著作権や肖像権が害されるおそれが高くなる。本発明は以上の問題点に鑑み、著作権・肖像権の保護に資する情報を簡易かつ適切に画像データに付加することを目的とする。
【課題を解決するための手段】
【０００５】
上記課題を解決するため、請求項１に係る発明は、被写体を撮像し、被写体像を表す画像データを出力する撮像手段と、前記画像データの送信元又は送信先を表すデータである送信元／送信先データを記憶する記憶手段と、前記画像データに前記送信元／送信先データを付加する付加手段とを備えることを特徴とする携帯電話機である。
【０００６】
この発明によると、画像データの送信元又は送信先を表すデータである送信元／送信先データが被写体像を表す画像データに付加される。送信元／送信先データに送信元を示すデータが含まれていれば、撮影者即ち著作者の特定が容易となり、著作権の保護に役立つ。また、送信元／送信先データに送信先を示すデータが含まれていれば、このデータに基づき適切な画像データの送信先を指定することができ、意図しない送信先に画像データが送信されて画像データの著作権・肖像権が害されるのを防ぐことができる。
【０００７】
請求項２に係る発明は、前記撮像手段は前記画像データを所定の圧縮した画像ファイルとして出力することを特徴とする請求項１に記載の携帯電話機である。
【０００８】
請求項３に係る発明は、前記撮像手段は前記画像ファイルをＪＰＥＧ（Joint Photographic Coding Experts Group）ファイル又はＥｘｉｆ（Exchangeable Image File Format）ファイルとして出力し、前記付加手段は前記画像ファイルの所定のタグ又はヘッダーに前記送信元／送信先データを記憶することを特徴とする請求項２に記載の携帯電話機である。
【０００９】
この発明によると、Ｅｘｉｆ形式の画像ファイルの所定のタグに送信元／送信先データが記憶される。従って、印刷画像の中に送信元／送信先データが現れて画像の美観を損ねることがなくなる。
【００１０】
請求項４に係る発明は、前記送信元／送信先データは前記画像データの送信先となる外部機器を識別するデータであることを特徴とする請求項１〜３のいずれかに記載の携帯電話機である。
【００１１】
この発明によると、送信元／送信先データに基づき適切な画像データの送信先を指定することができる。
【００１２】
請求項５に係る発明は、前記送信元／送信先データは前記携帯電話に割り当てられた電話番号を表すデータであることを特徴とする請求項１〜３のいずれかに記載の携帯電話機である。
【００１３】
この発明によると、携帯電話に割り当てられた電話番号を表すデータが画像データに付加される。この電話番号に基づき、撮影者即ち著作者を容易に特定することができる。
【００１４】
請求項６に係る発明は、前記画像データと前記電話番号を表す画像データとを合成する合成手段をさらに備えることを特徴とする請求項５に記載の携帯電話機である。
【００１５】
この発明によると、撮像とともに電話番号を視覚することができ、撮影者即ち著作者を容易に特定することができ、著作権の保護に役立つ。
【００１６】
請求項７に係る発明は、前記画像データに前記送信元／送信先データを付加する旨を指示する操作入力を受け付ける入力手段と、前記操作入力に基づき前記付加手段を制御して前記画像データに前記送信元／送信先データを付加させる第１付加制御手段とをさらに備えることを特徴とする請求項１〜３のいずれかに記載の携帯電話機である。
【００１７】
この発明によると、ユーザが画像データに送信元／送信先データを付加するか否かを任意に選択できる。
【００１８】
請求項８に係る発明は、外部機器と接続して前記画像データを前記外部機器に送信する送信手段と、前記画像データが送信される外部機器の指定を受け付ける指定手段とをさらに備えることを特徴とする請求項１〜３のいずれかに記載の携帯電話機である。
【００１９】
この発明によると、画像データの送信先を指定できる。
請求項９に係る発明は、前記指定に基づき前記付加手段を制御して前記画像データに前記送信元／送信先データを付加させる第２付加制御手段をさらに備えることを特徴とする請求項８に記載の携帯電話機である。
【００２０】
請求項１０に係る発明は、前記第２付加制御手段は前記指定された外部機器がプリンタか否かを判定し、前記指定された外部機器がプリンタでない場合は前記付加手段を制御して前記画像データに前記送信元／送信先データを付加させることを特徴とする請求項９に記載の携帯電話機である。
【００２１】
この発明によると、画像データが送信される外部機器としてプリンタ以外の外部機器が指定された場合は画像データに送信元／送信先データが付加される。外部機器がパソコンなどのネットワーク接続機器の場合、出力された画像データの複製・頒布等は比較的容易であるため、撮像の著作権や肖像権が害されるおそれが強いが、外部機器に出力された画像データには電話番号データが付加されているため、この電話番号データを基に撮影を行った者、即ち著作者を特定することが容易である。このため、撮像に関する著作権の保護や撮影された人物の肖像権の保護や侵害防止の一助となる。
【００２２】
請求項１１に係る発明は、前記指定された外部機器が前記送信元／送信先データで表される送信先か否かを判定し、前記指定された外部機器が前記送信元／送信先データで表される送信先の場合は前記送信手段を制御して前記画像データを前記外部機器に送信させる送信制御手段をさらに備えることを特徴とする請求項８に記載の携帯電話機である。
【００２３】
この発明によると、指定された外部機器が画像データに付加された送信元／送信先データで表される送信先である場合、その外部機器に画像データが送信される。即ち、意図しない送信先に画像データが送信されて撮像の著作権・肖像権が害されるのを防ぐことができる。
【００２４】
請求項１２に係る発明は、前記画像データの表す画像の視覚が困難となるような処理を前記画像データに施す画像処理手段と、前記指定された外部機器が前記送信元／送信先データで表される送信先か否かを判定し、前記指定された外部機器が前記送信元／送信先データで表される送信先でない場合は前記画像処理手段を制御して前記画像データに前記処理を行わせる画像処理制御手段とをさらに備えることを特徴とする請求項８に記載の携帯電話機である。
【００２５】
この発明によると、指定された外部機器が前記送信元／送信先データで表される送信先でない場合、画像の視覚が困難となるような処理を施された画像データが指定された外部機器に送信される。従って、意図しない送信先に画像データが送信された場合でもその画像は視覚に耐えないものであり、不法な複製・頒布などの著作権侵害がなされるおそれが少なくなる。
【発明の効果】
【００２６】
本発明によると、画像データの送信元又は送信先を表すデータである送信元／送信先データが被写体像を表す画像データに付加される。送信元／送信先データに送信元を示すデータが含まれていれば、撮影者即ち著作者の特定が容易となり、著作権の保護に役立つ。また、送信元／送信先データに送信先を示すデータが含まれていれば、このデータに基づき適切な画像データの送信先を指定することができ、意図しない送信先に画像データが送信されて画像データの著作権・肖像権が害されるのを防ぐことができる。
【発明を実施するための最良の形態】
【００２７】
以下、添付した図面を参照し本発明の好ましい実施例を説明する。
【実施例１】
【００２８】
（１）機能構成
図１は、本発明の好ましい実施例である携帯電話機１の機能構成図である。この携帯電話機１は、ストロボ装置１０、電子カメラ１１、画像処理部１２、送信部１５、アンテナ１６、通信コネクタ１７、入力部１８、ＥＥＰＲＯＭ２０、及び制御部２１を備えている。
【００２９】
入力部１８は、操作ボタンなどで構成されており、電子カメラ１１による撮影を開始する操作などの操作の入力を受け付け、操作が行われた旨を示す信号（以下、操作信号という）を制御部２１に出力する。ストロボ装置１０は、操作信号の出力に応じ、フラッシュを発光して被写体の明るさを補う。電子カメラ１１は、操作信号の出力に応じ、被写体の像を受光面に結像させて光電変換し、画像データとして画像処理部１２に出力する。画像処理部１２は、電子カメラ１１から出力された画像データの画素数の変更、シャープネス補正、ガンマ補正、コントラスト補正、ホワイトバランス補正などの処理や、電子カメラ１１から出力された画像データからプリント出力用の画像データを生成する処理を行う。なお、電子カメラ１１から出力された画像データからプリント出力用の画像データを生成する処理は、携帯電話１に接続されたプリンタ２で行うようにしてもよい。
【００３０】
送信部１５は、制御部２１の制御に従って画像データを符号化し、アンテナ１６、通信コネクタ１７に出力する。アンテナ１６は、画像データを搬送波により他の携帯電話機などに無線送信する。通信コネクタ１７は、画像データをプリンタ２あるいはＰＤＡ、パソコンなどの外部機器４に有線（例えば、ＵＳＢケーブル）あるいは無線（例えば、無線ＬＡＮやＢｌｕｅｔｏｏｔｈ）で出力する。制御部２１は、ＭＣＵ（MicroController Unit）などで構成され、画像データのサンプリングタイミング制御、ストロボ装置１０の制御、電子カメラ１１の絞りやシャッタースピードなどの露光制御、フォーカス制御、ズーム制御などを行う。制御部２１の行うその他の処理については後述する。ＥＥＰＲＯＭ２０には、携帯電話機１ごとに一意に割り当てられた電話番号を示すデータ（以下、電話番号データという）が記憶されている。また、携帯電話機１は、他の電話と無線接続して音声信号を送受信する無線通信回路、音声入力するマイクロフォン、受信した音声信号を音声出力するスピーカ、画像データの表す画像を表示する液晶ディスプレイなどをさらに備えているが、詳細は省略する。
【００３１】
（２）印刷データ出力処理
次に、図２のフローチャートに従い、制御部２１の行う印刷データ出力処理を説明する。この処理では、電子カメラ１１により撮影された画像データに電話番号データが付加され、さらにユーザ操作に応じて撮影画像に加え電話番号がプリンタ２により印刷される。この処理は、電子カメラ１１による撮影を開始する旨の操作が入力部１８にされたときに開始する。
【００３２】
Ｓ１１では、制御部２１は、ＥＥＰＲＯＭ２０に記憶されている電話番号データを電子カメラ１１から出力された画像データに付加するか否かの指示を入力部１８への操作などにより受け付ける。電話番号データの付加が指示された場合はＳ１２へ移行し、付加が指示されなかった場合はＳ１５へ移行する。ステップＳ１２では、制御部２１は、ＥＥＰＲＯＭ２０に記憶されている電話番号データを画像データに付加するよう画像処理部１２を制御する。画像データへの電話番号データの付加は、例えば画像データがＥｘｉｆ（Exchangeable Image File Format）形式のＴＩＦＦデータである場合、ＩＦＤ０（IFD of main image）に含まれるタグであるCopyrightタグ（タグ番号0x8298）、ImageDescriptionタグ（タグ番号0x010e）などの所望のタグに電話番号データを記憶することで行われる。
【００３３】
Ｓ１３では、制御部２１は、入力部１８への所定操作などにより撮影された画像に加えて電話番号も印刷する旨の指示を受け付ける。そして、電話番号も印刷する旨が指示された場合はＳ１４へ移行し、指示されなかった場合はＳ１５へ移行する。Ｓ１４では、制御部２１は、画像処理部１２を制御して電子カメラ１１から出力された画像データとＳ１２で付加された電話番号データの表す電話番号の画像とを合成した画像データを生成する。Ｓ１５では、制御部２１は、画像処理部１２を制御して電子カメラ１１の出力した画像データ又はＳ１４で生成された画像データからプリント出力用の画像データを生成させる。そして、送信部１５を制御してプリント出力用の画像データを通信コネクタ１７を介してプリンタ２に出力する。
【００３４】
プリンタ２は、出力された画像データの示す画像をポストカード用紙やインスタントフィルムなどの所定の印刷媒体に印刷する。図３（ａ）、（ｂ）は、それぞれ電話番号データの付加が指示されなかった場合（Ｓ１１で“Ｎ”）又は電話番号の印刷が指示されなかった場合（Ｓ１３で“Ｎ”）のプリンタ２による印刷例、電話番号データの付加が指示され（Ｓ１１で“Ｙ”）かつ電話番号の印刷が指示された場合（Ｓ１３で“Ｙ”）の印刷例を示す。電話番号データの付加が指示されなかった場合、または電話番号の印刷が指示されなかった場合、図３（ａ）のように電子カメラ１１の撮像のみが印刷される。一方、電話番号データの付加が指示され、かつ電話番号の印刷が指示された場合、図３（ｂ）のように電子カメラ１１の撮像に加えてＥＥＰＲＯＭ２０に記憶される電話番号が印刷される。なお、電話番号の印刷位置、サイズなどはユーザ操作により適宜調節できるようにしてもよい。
【００３５】
（３）本実施例に係る携帯電話機の特徴
上述のように、電話番号データの付加が指示され（Ｓ１１で“Ｙ”）、かつ電話番号の印刷が指示された場合（Ｓ１３で“Ｙ”）、印刷媒体にはＥＥＰＲＯＭ２０に記憶された電話番号が撮像と共に印刷される。この印刷された電話番号を用いれば、撮影を行った者即ち著作者を特定することが容易となり、撮像に関する著作権の保護や撮影された人物の肖像権の保護に役立つ。また、電話番号データの付加が指示されなかった場合（Ｓ１１で“Ｎ”）又は電話番号の印刷が指示されなかった場合（Ｓ１３で“Ｎ”）、図３（ａ）のように電子カメラ１１の撮像のみが印刷されるため、電話番号を印刷する・しないをユーザが任意に選択することもできる。
【実施例２】
【００３６】
（１）機能構成及び画像データ出力処理
次に、本発明の好ましい他の実施例である携帯電話機１を説明する。この携帯電話機１の機能構成は制御部２１を除き図１と同様であるとし、説明を省略する。制御部２１は、実施例１と異なり、次に示す画像データ出力処理を行う。この処理は、電話番号データの付加されていない画像データをプリンタ２に出力するか、あるいは電話番号データの付加された画像データを外部機器４に出力する。以下、図４のフローチャートに基づき画像データ出力処理の流れを説明する。この処理は、実施例１の印刷指示処理と同様、電子カメラ１１による撮影を開始する旨の操作が入力部１８にされたときに開始する。
【００３７】
Ｓ２０では、制御部２１は、入力部１８への所定操作などにより画像データを出力する旨が指示されたか否かを判断する。出力が指示された場合はＳ２１へ移行し、出力が指示されなかった場合は指示があるまで上記判断を繰り返す。Ｓ２１では、制御部２１は、入力部１８への所定操作などにより画像データの出力先としてプリンタ２あるいはプリンタ２以外の外部機器４の指定を受け付ける。そして、プリンタ２が指定されたか否かを判断し、プリンタが指定された場合はＳ２３に移行し、外部機器４が指定された場合はＳ２２に移行する。Ｓ２２では、制御部２１は、ＥＥＰＲＯＭ２０に記憶されている電話番号データを画像データに付加するよう画像処理部１２に指示する。電話番号データの付加は、実施例１の印刷データ出力処理のＳ１２と同様である。Ｓ２３では、制御部２１は、送信部１５を制御して画像データを指定された出力先であるプリンタ２又は外部機器４に通信コネクタ１７を介して出力する。なお、プリンタ２に画像データを出力する場合にのみ、画像処理部１２にプリント出力用の画像データを生成させるようにしてもよい。
【００３８】
（２）本実施例に係る携帯電話機の特徴
上述のように、画像データの出力先としてプリンタ２が選択されなかった場合（Ｓ２１で“Ｎ”）、電話番号データの付加された画像データが外部機器４に出力される。外部機器４がパソコンなどのネットワーク接続機器の場合、出力された画像データの複製・頒布等は比較的容易であるため、撮像の著作権や肖像権が害されるおそれが強い。しかし、外部機器４に出力された画像データには電話番号データが付加されているため、この電話番号データを基に撮影を行った者、即ち著作者を特定することが容易である。このため、撮像に関する著作権の保護や撮影された人物の肖像権の保護や侵害防止の一助となる。一方、画像データの出力先としてプリンタ２が選択された場合（Ｓ２１で“Ｙ”）、電話番号データが付加されない画像データがプリンタ２へ出力される。この場合、画像データに電話番号データを付加することで撮像の印刷に時間がかかるなどの不都合を回避できる。
【実施例３】
【００３９】
（１）機能構成及び画像データ送信処理
以下、さらに本発明の好ましい他の実施例である携帯電話機１を説明する。この携帯電話機１の機能構成は制御部２１を除き図１と同様であるとする。制御部２１は、図５に示すような画像データの送信が可能な送信先を示すデータ（以下、送信可能宛先データという）を記憶している。この送信可能宛先データは、画像データの送信先となりうる識別子、ここでは電子メールアドレスを示している。送信可能宛先データは、電子メールアドレスに限らず、電話番号、ＩＰアドレス、ＭＡＣアドレスなどの通信ネットワーク上で一意な識別子であってもよい。また、送信可能宛先データは、入力部１８の操作などにより任意に追加・削除・更新可能であってもよい。
【００４０】
さらに、制御部２１は、以下に示す画像データ送信処理を行う。この処理では、画像データに送信可能宛先データを付加しておき、画像データが送信可能宛先データの指定する送信先だけに送信されるようにする。以下、図６のフローチャートに基づき画像データ出力処理の流れを説明する。この処理は、実施例１の印刷データ出力処理と同様、電子カメラ１１による撮影を開始する旨の操作が入力部１８にされたときに開始する。
【００４１】
Ｓ３１では、制御部２１は、記憶している送信可能宛先データを電子カメラ１１の出力した画像データに付加するよう画像処理部１２に指示する。送信可能宛先データの付加は、実施例１の印刷データ出力処理のＳ１２における電話番号データの付加と同様である。Ｓ３２では、制御部２１は、入力部１８への操作入力（例えば、特定の電子メールアドレスの入力）などにより画像データの送信先の指定を受け付ける。そして、画像データの送信先の指定が完了したか否かを判断する。指定が完了した場合はＳ３３に移行し、指定がされなかった場合は指定があるまで上記判断を繰り返す。Ｓ３３では、制御部２１は、Ｓ３２で指定された送信先が、Ｓ３１で画像データに付加された送信可能宛先データの示す送信先のいずれかと一致するか否かを判断する。両者が一致する場合はＳ３４に移行し、両者が一致しない場合は画像データを指定された送信先に送信せず、この処理を終了する。Ｓ３４では、制御部２１は、画像データをＳ３２で指定された送信先に送信する。なお、Ｓ３３で両者が一致しないと判断された場合、画像データにノイズ処理やモザイク処理など撮像の視覚が困難となるような処理を施した上、この画像データをＳ３２で指定された送信先に送信してもよい。
【００４２】
（２）本実施例に係る携帯電話機の特徴
上述のように、画像データの送信先が送信可能宛先データの示す送信先のいずれかと一致する場合のみ（Ｓ３３で“Ｙ”）、指定された送信先に画像データが送信される。従って、画像データの送信を意図しない相手に画像データが誤って送信されることを防ぐことができ、誤って送信された画像データが複製されるなどして著作権や肖像権が害されることを防ぐことができる。
【実施例４】
【００４３】
実施例１の印刷データ出力処理、実施例２の画像データ出力処理、実施例３の画像データ出力処理は携帯電話機１の制御部２１が実行する。しかし、図７に示すように、携帯電話機１からプリンタ２又は外部機器４への印刷データ又は画像データの出力を有線又は無線中継するサーバ５を設け、このサーバ５で上記の印刷データ出力処理又は画像データ出力処理を実行するようにしてもよい。このようにすれば、携帯電話機１の処理の負担を軽減できる。
【図面の簡単な説明】
【００４４】
【図１】本発明の好ましい実施例に係る携帯電話機の機能構成図。
【図２】実施例１の印刷データ出力処理の流れを示すフローチャート。
【図３】撮像及び電話番号の印刷例。
【図４】実施例２の画像データ出力処理の流れを示すフローチャート。
【図５】送信可能宛先データの一例。
【図６】実施例３の画像データ送信処理の流れを示すフローチャート。
【図７】実施例４に係るサーバの接続例。
【符号の説明】
【００４５】
１・・携帯電話機、２・・プリンタ、４・・外部機器、１１・・電子カメラ、１２・・画像処理部、１５・・送信部、１７・・通信コネクタ、１８・・入力部、２０・・ＥＥＰＲＯＭ、２１・・制御部
【図１】
2005167835.tif 000003
【図２】
2005167835.tif 000004
【図３】
2005167835.tif 000005
【図４】
2005167835.tif 000006
【図５】
2005167835.tif 000007
【図６】
2005167835.tif 000008
【図７】
2005167835.tif 000009